(57)【特許請求の範囲】
【請求項１】
ディスクトレイ側に、通電した時に可動鉄心を没入させるソレノイドを設け、前記可動鉄心の突出方向の先端部にディスクトレイ搬出防止のためのロックレバーを連結し、前記可動鉄心およびロックレバーを可動鉄心の突出方向に付勢するバネを設け、ディスク装置本体側に、ディスクトレイがディスク装置の内部に搬入された時に前記ロックレバーが係合することでディスクトレイをロックする突起等の係合部を形成したディスク装置のディスクトレイロック機構において、
ディスクトレイ側の、前記可動鉄心の突出時の先端面に対向する位置にマグネットを配置したことを特徴とするディスク装置のディスクトレイロック機構。
【請求項２】
前記マグネットを、その可動鉄心先端面に対向する側の磁極が、前記ソレノイドに通電した時に可動鉄心の突出方向の先端に発生する磁極と同一となるように配置したことを特徴とする請求項１記載のディスク装置のディスクトレイロック機構。
【発明の詳細な説明】
【０００１】
【発明の属する技術分野】
本発明は、ＣＤやＣＤ−ＲＯＭ等のディスクを使用して情報の記録又は再生を行なうディスク装置に関し、特に記録又は再生用ディスクを搭載するディスクトレイの搬入搬出を手動にて行い、ディスクトレイの搬入完了後、ディスクトレイがロックされるディスク装置のディスクトレイロック機構部分に関する。
【０００２】
【従来の技術】
従来のディスク装置における一般的なディスクトレイロック機構は、図４、図５に示すように、ディスクトレイ１０２側に、通電した時に可動鉄心１０４ａを没入（図５で右方に移動）させるソレノイド１０４を設け、前記可動鉄心１０４ａの突出方向（図５で左方）の先端部にディスクトレイ搬出防止のためのロックレバー１０３を連結し、前記ロックレバー１０３を可動鉄心１０４ａの突出方向に付勢するバネ１０５を可動鉄心１０４ａとソレノイド１０４との間に設け、ディスク装置本体１０１側に、ディスクトレイ１０２がディスク装置の内部に搬入された時（図５の状態）に前記ロックレバー１０３が係合することでディスクトレイ１０２をロックする突起１０１ａを形成した構成である。
【０００３】
上記従来のディスク装置におけるディスクトレイロック機構１１０の動作を説明する。図５において、２点鎖線で示すようにディスク装置本体１０１から外に出ているディスクトレイ１０２を矢印方向に押して、これをディスク装置本体１０１内に搬入すると、ロックレバー１０３はそのテーパ面１０３ａがディスク装置本体１０１の突起部１０１ａのテーパ面１０１ｂに当たって図５で右方に押され、ディスクトレイ１０２内部に潜る。突起部１０１ａを通り過ぎると、ロックレバー１０３は再び図５で左方に突出して、図５に示す通り、突起部１０１ａに引っ掛かり、ロックされる。
【０００４】
ロック解除時には、ソレノイド１０４に通電が行われる。ソレノイド１０４に通電されると、ソレノイド１０４が可動鉄心１０４ａを吸引して没入（図５で右方に移動）させ、可動鉄心１０４ａに連結されているロックレバー１０３は、ディスクトレイ１０２内部に潜り込むことにより、突起１０１ａとから離れ、ディスクトレイ１０２のロックが解除される。
【０００５】
【発明が解決しようとする課題】
上記従来のディスク装置のディスクトレイロック機構には、次に列挙するような課題があった。
第１点として、ディスク装置の薄型化により搭載可能なソレノイド１０４が小型になり、ソレノイド１０４から得られるパワーが減ったため、ロック解除に充分な力を得ることができなくなり、設計的な余裕をとることが難しいという問題があった。
【０００６】
第２点として、ソレノイド１０４が小型になり、ソレノイド１０４のパワーが小さくなったことにより、可動鉄心１０４ａとソレノイド１０４との間に配置するバネ１０５の荷重についても、ソレノイド１０４が可動鉄心１０４ａを吸引するパワーの確保のため、小さくしている。このため、ディスク装置が外部より可動鉄心１０４ａの出没方向の衝撃を受けた時、可動鉄心１０４ａが慣性力により、バネ１０５の力に抗して没入方向（図５で右方）に移動してしまい、ソレノイド１０４に電気が流れた時と同様にロックレバー１０３を動作させ、ロックを解除してしまう問題があった。
【０００７】
そこで、本発明の目的は、ソレノイドの小型化によって問題となるパワーの不足の補いと、衝撃に強いロック保持力を実現できるディスク装置のディスクトレイロック機構を提供することにある。
【０００８】
【課題を解決するための手段】
上記課題を解決する本発明は、ディスクトレイ側に、通電した時に可動鉄心を没入させるソレノイドを設け、前記可動鉄心の突出方向の先端部にディスクトレイ搬出防止のためのロックレバーを連結し、前記可動鉄心およびロックレバーを可動鉄心の突出方向に付勢するバネを設け、ディスク装置本体側に、ディスクトレイがディスク装置の内部に搬入された時に前記ロックレバーが係合することでディスクトレイをロックする突起等の係合部を形成したディスク装置のディスクトレイロック機構において、
ディスクトレイ側の、前記可動鉄心の突出時の先端面に対向する位置にマグネットを配置したことを特徴とする。
【０００９】
請求項２は、前記マグネットを、その可動鉄心先端面に対向する側の磁極が、前記ソレノイドに通電した時に可動鉄心の突出方向の先端に発生する磁極と同一となるように配置したことを特徴とする。
【００１０】
【発明の実施の形態】
以下、本発明のディスク装置のディスクトレイロック機構の一実施の形態を図１〜図３を参照して説明する。
図１は本発明の一実施の形態によるディスク装置のディスクトレイロック機構１０の構成図、図２は図１のディスク装置のディスクトレイロック機構１０においてソレノイド４に通電されていないときの可動鉄心４ａに加わる力の説明図、図３は図１のディスク装置のディスクトレイロック機構１０においてソレノイド４に通電されたときの可動鉄心４ａに加わる力の説明図である。
【００１１】
このディスク装置のディスクトレイロック機構１０は、図１に示すように、ディスクトレイ２側に、通電した時に可動鉄心４ａを没入させるソレノイド４を設け、前記可動鉄心４ａの突出方向（図１で左方）の先端部にディスクトレイ搬出防止のためのロックレバー３を連結し、前記ロックレバー３を可動鉄心４ａの突出方向に付勢するバネ５を可動鉄心４ａとソレノイド４との間に設け、ディスク装置本体１側に、ディスクトレイ２がディスク装置の内部に搬入された時（図１の状態）に前記ロックレバー３が係合することでディスクトレイ２をロックする突起１ａを形成した構成を持つ。以上の構成自体は従来と同様である。
本発明では、ディスクトレイ２側の、前記可動鉄心４ａの突出時（図１の状態）の先端面に対向する位置にマグネット６を配置している。そして、このマグネット６の磁極の向きは、その可動鉄心先端面に対向する側（図１〜図３で右側）の磁極が、前記ソレノイド４に通電した時に可動鉄心４ａの突出方向の先端（図１〜図３で左端）に発生する磁極と同一となる向きである。
【００１２】
上記ディスク装置のディスクトレイロック機構１０の動作を説明する。図１において、２点鎖線で示すようにディスク装置本体１から外に出ているディスクトレイ２を矢印方向に押して、これをディスク装置本体１内に搬入すると、ロックレバー３はそのテーパ面３ａがディスク装置本体１の突起部１ａのテーパ面１ｂに当たって図１で右方に押され、ディスクトレイ２内部に潜る。突起部１ａを通り過ぎると、ロックレバー３は再び突出して、図１に示す通り、突起部１ａに引っ掛かり、ロックされる。
この状態では、可動鉄心４ａ及び可動鉄心４ａに連結されたロックレバー３には図２に示す２つの力が作用している。一つはバネ（圧縮バネ）５の力（矢印ａ）であり、もう一つはマグネット６の吸着力（矢印ｂ）であり、いずれも可動鉄心４ａの突出方向（図１、図３で左方）であり、ロック力となっている。
このように、ロック時には、従来は単にバネ５の力だけでロックするのに対して、本発明では、バネ５の力にマグネット６の吸着力が付加されるので、ロック力が向上する。したがって、バネ５の荷重を弱くしても、ディスク装置に作用する衝撃に強いロック力を確保できる。
【００１３】
ロック解除時には、ソレノイド４に通電が行われる。ソレノイド４に通電されると、励磁されたソレノイド４が可動鉄心４ａを吸引して没入（図１で右方に移動）させ、可動鉄心４ａに連結されているロックレバー３は、ディスクトレイ２内部に潜り込むことにより、突起１ａから離れ、ディスクトレイ２のロックが解除される。
前記のソレノイド４への通電状態では、可動鉄心４ａに図３に示す３つの力が作用している。すなわち、ソレノイド４の吸引力（矢印ｃ）とマグネット６からの反発力（矢印ｄ）と、バネ５によるバネ反力（矢印ａ）である。この場合、ソレノイド４の吸引力（矢印ｃ）とマグネット６からの反発力（矢印ｄ）との合成力は、可動鉄心に加わるバネ５によるバネ反力（矢印ａ）より強いため、可動鉄心４ａは、前記の通り、ソレノイド４に吸引される方向に移動（没入）し、連結したロックレバー３も同様に同方向に移動する。これによりロックレバー３がディスクトレイ本体１の突起部１ａより外れてロックが解除される。
このように、ロック解除時に、従来はソレノイド４の吸引力のみでバネ５の力に打ち勝って可動鉄心４ａおよびロックレバー３を突起１ａから離れる方向に移動させたのに対して、本発明ではマグネット６からの反発力（矢印ｄ）がソレノイド４の吸引力に付加されるので、ロック解除力が向上する。したがって、ロック解除力を低下させずに、ディスク装置の小型化に要求されるソレノイドの小型化を図ることができる。
【００１４】
なお、ディスク装置本体１側に設ける、ロックレバー係合用の係合部は、通常は実施例のように突起１ａとするが、ロックレバー３の先端が係合可能な凹部であってもよい。
【００１５】
【発明の効果】
以上説明した通り、本発明のディスクトレイ装置のディスクトレイロック機構によれば、ディスクトレイの搬出を防止するロック時には、ロック力を与えるバネの力にさらにマグネットの吸着力が付加されるので、ディスクトレイ装置への外部からの衝撃に対するロック力が向上するという効果がある。
【００１６】
請求項２によれば、ロック解除時には、可動鉄心およびロックレバーを突起等の係合部から離れる方向に移動させるロック解除力として、ソレノイドの吸引力にさらにマグネットからの反発力が付加されるので、ロック解除力が向上し、確実なロック解除が行われるという効果がある。
【００１７】
上記により、ディスクトレイのロック力の低下およびロック解除力の低下をもたらすことなく、ソレノイドを小型化しあるいはバネ荷重を小さくすることができ、ディスク装置の小型化を図ることができるという効果がある。
【図面の簡単な説明】
【図１】本発明の一実施の形態によるディスク装置のディスクトレイロック機構の構成図である。
【図２】図１のディスク装置のディスクトレイロック機構においてソレノイドに電気が流れていないときの可動鉄心に加わる力の説明図である。
【図３】図１のディスク装置のディスクトレイロック機構においてソレノイドに電気が流れたときの可動鉄心に加わる力の説明図である。
【図４】従来のディスク装置の外形の斜視図である。
【図５】図４のディスク装置のディスクトレイロック機構の構成図であるｃ
【符号の説明】
１      ディスク装置本体
２      ディスクトレイ
３      ロックレバー
４      ソレノイド
５      バネ
６      マグネット
１０    ディスクトレイロック機構
矢印ａ  バネの力
矢印ｂ  マグネットによる吸着力
矢印ｃ  ソレノイドによる吸引力
矢印ｄ  マグネットによる反発力
【図１】
0003546701.tif 000002
【図２】
0003546701.tif 000003
【図３】
0003546701.tif 000004
【図４】
0003546701.tif 000005
【図５】
0003546701.tif 000006